(57)【特許請求の範囲】
【請求項１】
建物の開口部に設けられ、複数の羽根板を格子状に並設し、これら羽根板同士の間隙でもって通気可能に設けられると共に、該羽根板によって防水を行う防水型換気ルーバにおいて、羽根板がその幅方向のほぼ中心において断面略く字状で且つ外側に向かって膨出した円弧状に形成されていると共に、該羽根板の屈折点を境界にして互いに湾曲方向の異なる弧状面を設け、前記屈折点の外側に断面がＬ字型をした中間溝部材を一体に有し、且つ前記く字型部の下端縁部内側に断面が逆Ｌ字型をなした下縁溝部材を有してなる羽根板を多数備え、一方の羽根板の中間溝部材下に他方の羽根板の下縁部材が位置するように互いに上下方向に重合させると共に、両羽根板間に、断面が略く字状の空隙をもたせて互いに平行に配置してなることを特徴とする防水型換気ルーバ。
【発明の詳細な説明】
【０００１】
【発明の属する技術分野】
本発明は、建物の開口部等に取り付けて通気を良好にし、且つ雨水の侵入を防ぐために使用される換気ルーバ、通称ガラリと呼ばれる建具に関し、とくにその羽根板の形状に関するものである。
【０００２】
【従来の技術】
従来、工場、発電所、体育館、倉庫、ビル、家屋等の建物の排気口などの開口部に、換気を目的として取付けられる換気ルーバは、基本的には複数の羽根板を所定の枠体に横方向あるいは縦方向に格子状に並べた構成とされている。
【０００３】
ところで、従来の換気ルーバは、羽根板を横方向に並べたタイプのものが主流であった。もちろん、この従来型の換気ルーバも羽根板を下向きに傾斜させて配置して日光や雨を防ぐようにしてあるが、強風雨時の横なぐりの雨等に対しては、かなりの雨水が建物内に侵入してしまうという欠点があった。このため、室内に水受けを取り付けたり、外部に別途フードを取り付けたりする必要があった。そこで、充分な通気性を確保し、尚且つ強風雨時の雨水の侵入を防止するために、羽根板を縦に配した縦ガラリ、あるいは横羽根板と縦羽根板とを交互に組み合わせた復層ガラリ等といった換気ルーバが開発されている。
【０００４】
【発明が解決しようとする課題】
その中でも、特開平５−４４３１４号公報あるいは特開平１１−６２４１９号公報及び特開平１１−１６６３７６号公報所載のもののように、羽根板の幅方向の断面をく字型やＳ字状に構成し、通気性及び風雨に対する遮蔽効果の向上を目指した換気ルーバが提案されている。そこで、本発明者は上記従来のような換気ルーバの更なる性能向上のために鋭意研究を重ね本発明をするに到った。
すなわち、本発明は、充分な通気性を確保しつつ、高い防水性能を得ることができる防水型換気ルーバを提供することを目的とするものである。
【０００５】
【課題を解決するための手段】
このため本発明は、建物の開口部に設けられ、複数の羽根板を格子状に並設し、これら羽根板同士の間隙でもって通気可能に設けられると共に、該羽根板によって防水を行う防水型換気ルーバにおいて、羽根板の幅方向断面形状を略く字型とすると共に、該羽根板の屈折点を境界にして互いに湾曲方向の異なる弧状面を設けたことを第１の特徴とする。
【０００６】
また、請求項１記載の防水型換気ルーバにおいて、屈折点の外側に断面がＬ字型をした中間溝部材を一体に有し、且つ前記く字型部の下端縁部内側に断面が逆Ｌ字型をなした下縁溝部材を有してなる羽根板を多数備え、一方の羽根板の中間溝部材下に他方の羽根板の下縁部材が位置するように互いに上下方向に重合させると共に、両羽根板間に、断面が略く字状の空隙をもたせて互いに平行に配置してなることを第２の特徴とする。
【０００７】
本発明に係る防水型換気ルーバにおいては、外気は各羽根板間の上下に通じる空隙を通って自由に出入りする。一方、雨水は垂直に降る場合は、中間溝部材にそのほとんどが受けられ、当該溝内を流出し、横風が強い場合には、風と共に雨水は中間溝部材を越えて空隙の下側に到るが、その空隙は上下に略く字状で且つ２つの弧状面を有しているので、外気は円滑に旋回して通り抜けるが、水滴は遠心力によって羽根板の弧傾面に衝突して流下し、下縁溝部材に受けられる。
【０００８】
【発明の実施の形態】
以下、本発明の実施の形態を図面に示す実施例に基づいて説明する。図１は本発明に係る防水型換気ルーバの一実施例の全体構成を示す正面図、図２は図１の横断面図、図３は図１の縦断面図、図４は羽根板の要部拡大斜視図、図５は羽根板の要部拡大横断面図、図６は防水型換気ルーバの他の実施例を示す横断面図、図７は羽根板の他の実施例を示す要部拡大斜視図、図８は羽根板の他の実施例を示す要部拡大横断面図である。
【０００９】
【実施例】
図１乃至図３において、１は防水型換気ルーバで、アルミサッシ製の矩形状枠体２に複数の横羽根板３、３…が一体的に連設された外側面４と、内側面５とを備え、この内側面５が室内に臨む状態で建物の開口部等に取り付けられる構成とされている。横羽根板３、３…はアルミ製の板材からなり、外側下方に向かって傾斜して配されると共に、上下方向に一定間隔置きに横長孔状の複数の換気孔６、６…を設けてなる。
【００１０】
７、７…は縦羽根板である。この縦羽根板７は、枠体２の幅方向（内外方向）断面が略く字型をなし、当該縦羽根板７の屈折点７ａを境界にして互いに湾曲方向の異なる第１の弧状面８及び第２の弧状面９が連続して形成されている。また、その屈折点７ａの外側に第２の弧状面９から延出して断面が逆Ｌ字型をした中間溝部材１０が一体形成され、更に第２の弧状面９の下端縁には断面がＬ型の下縁溝部材１１が一体成形されている。すなわち、第１及び第２の弧状面８及び９、中間溝部材１０、下縁溝部材１１からなる断面形状が連続した型材によって縦羽根板７が構成されている。そして、これら縦羽根７、７…同士の間隙１２（通気路）でもって屋外から屋内に外気を通気させるものとされている。
【００１１】
すなわち、上記のように構成される縦羽根板７、７…を互いに平行に並べ、矩形状枠体２内に固定する。その際、各縦羽根板７、７…は、隣接するもの同士の間において、一方の中間溝部材１０を他方の下縁溝部材１１と重なり合うように位置させ、且つ、一方の縦羽根板７の内側面と他方の縦羽根板７の外側面との間に断面が略く字状をした間隙（通気路）１２が形成されるように並設する。
【００１２】
図４及び図５は、縦羽根板７の特徴部分を示す幅方向の要部拡大斜視図及び横断面図である。縦羽根板７は、上述したように、図中符号７ａとして示す一箇所を屈折点として、その上下両側部分が断面湾曲状あるいは断面円弧状に構成された第１の弧状面８及び第２の弧状面９が設けられており、その屈折点７ａの外側に第２の弧状面９から延出して断面が逆Ｌ字型をした中間溝部材１０が一体形成され、更に第２の弧状面９の下端縁には断面がＬ型の下縁溝部材１１が内向に一体成形される。各弧状面８及び９の端部にはさらにそれぞれ折返片１３あるいは１４を設けても良く、これらはそれぞれ中間溝部材１０、下縁溝部材１１と共に一体的に形成される。また、縦羽根板７の幅方向の両端部にはそれぞれビス孔１５及び１６が設けられ、これらビス孔１５、１６を介して縦羽根板７が枠体２に固定される。
【００１３】
各縦羽根板７、７…は、その幅方向のほぼ中心において断面略く字状で且つ外側に向かって膨出した円弧状に形成されているので、縦羽根板７間を流通する空気に遠心力を付与し、流通空気の抵抗を大幅に削減することができる。例えば、枠見込み寸法（枠の奥行き）１００ｍｍのルーバにおいて、第１の弧状面８の曲率半径が５０．０ｍｍ、第２の弧状面の曲率半径が２８．８ｍｍの鈍角の断面略く字状の羽根板７を使用した場合、一般的に要求される有効開口率５０％を達成しつつ、防水率９９．９９％というほぼ完璧な防水機能を発揮した。
【００１４】
すなわち、本発明では複数の羽根板７を縦方向に配置するが、その羽根板７が幅方向に断面略く字状で且つ、２つの弧状面８及び９を設けているので、屋外からの風雨が各弧状面に倣って円滑に流動して充分な換気を行なうことができる。さらに、これら弧状面８及び９の背部及び端部に、中間溝部材１０及び下縁溝部材１１により上下方向に溝が形成され、これらの溝によって屋外から屋内への風雨の侵入を防止し、雨滴を受け止め集積して流下させることができる。
【００１５】
詳しくは、外気は空隙１２内を自由に通過し、上空から自然に降る雨水は、そのほとんどが中間溝部材１０に受け止められる。一方、風と共に吹き込まれる雨水は、先ず、第１の弧状面８の膨出部分に衝突してほとんどが中間溝部材１０内に受けられるが、ここで反射した水ぶきや、風と共に中間溝部材１０上を通過した雨水も各円弧状面８及び９に倣って風向が曲げられる際に遠心力によって第２の弧状面９の膨出部に衝突して下縁溝部材１１に受け止められ流下するので、屋外から屋内への雨水の侵入は確実に防止される。
【００１６】
尚、本発明の要旨は、羽根板の幅方向断面形状を略く字型とすると共に、該羽根板の屈折点を境界にして互いに湾曲方向の異なる弧状面を設けた点にあり、その湾曲形状及び曲率は適宜選択でき、種々の応用変形例が可能である。例えば、図６乃至図８に示すように枠見込み寸法（枠の奥行き）７０ｍｍのルーバにおいて、第１の弧状面８の曲率半径が７５．０ｍｍ、第２の弧状面の曲率半径が７３．８ｍｍの鋭角の断面略く字状の羽根板７を使用した場合、有効開口率３０％で、防水率１００％を達成した。
【００１７】
【発明の効果】
本発明は以上のように構成したので、充分な通気性を確保しつつ、高い防水性能を得ることができるという優れた効果がある。
【図面の簡単な説明】
【図１】本発明に係る防水型換気ルーバの一実施例の全体構成を示す正面図である。
【図２】図１の横断面図である。
【図３】図１の縦断面図である。
【図４】羽根板の要部拡大斜視図である。
【図５】羽根板の要部拡大横断面図である。
【図６】防水型換気ルーバの他の実施例を示す横断面図である。
【図７】羽根板の他の実施例を示す要部拡大斜視図である。
【図８】羽根板の他の実施例を示す要部拡大横断面図である。
【符号の説明】
１    防水型換気ルーバ
２    枠体
３    横羽根板
４    外側面
５    内側面
６    換気孔
７    縦羽根板
７ａ  屈折点
８    第１の弧状面
９    第２の弧状面
１０  中間溝部材
１１  下縁溝部材
１２  間隙
１３  折返片
１４  折返片
１５  ビス孔
１６  ビス孔
【図１】
0003572582.tif 000002
【図２】
0003572582.tif 000003
【図３】
0003572582.tif 000004
【図４】
0003572582.tif 000005
【図５】
0003572582.tif 000006
【図６】
0003572582.tif 000007
【図７】
0003572582.tif 000008
【図８】
0003572582.tif 000009